(57)【要約】【課題】吸収性物品の後方部を身体の形状に沿って変形しやすくし、フィット性を向上する。【解決手段】吸収体４の後方部の肌側面に、非肌側に窪む表面側凹溝１０が所定のパターンで形成されるとともに、表面側凹溝１０によって区画された複数の区画吸収部１１が形成され、かつ吸収体４の後方部の非肌側面であって、臀部溝に対応する位置に、肌側に窪む臀部溝対応凹溝１２が形成されている。前記表面側凹溝１０は、生理用ナプキン１の略長手方向に沿うとともに幅方向に間隔をあけて配置された複数の長手方向凹溝１３と、生理用ナプキン１の略幅方向に沿うとともに長手方向に間隔をあけて配置された複数の幅方向凹溝１４とからなり、前記長手方向凹溝１３は、生理用ナプキン１の前側から後側に向けて幅方向の外方側に傾斜する放射状に形成されている。【選択図】図１
2019017636.tif 000002
【特許請求の範囲】
【請求項１】
少なくとも吸収体が備えられた吸収性物品において、
前記吸収体の後方部の肌側面に、非肌側に窪む表面側凹溝が所定のパターンで形成されるとともに、前記表面側凹溝によって区画された複数の区画吸収部が形成され、かつ前記吸収体の後方部の非肌側面であって、臀部溝に対応する位置に、肌側に窪む臀部溝対応凹溝が形成され、
前記表面側凹溝は、吸収性物品の略長手方向に沿うとともに幅方向に間隔をあけて配置された複数の長手方向凹溝と、吸収性物品の略幅方向に沿うとともに長手方向に間隔をあけて配置された複数の幅方向凹溝とからなり、前記長手方向凹溝は、吸収性物品の前側から後側に向けて幅方向の外方側に傾斜する放射状に形成されていることを特徴とする吸収性物品。
【請求項２】
前記表面側凹溝の溝幅は、吸収性物品の長手方向の前側より後側の方が漸次大きくなるように形成されるとともに、吸収性物品の幅方向の中央より外方側の方が漸次大きくなるように形成されている請求項１記載の吸収性物品。
【請求項３】
前記表面側凹溝の底部に沿って肌側面から非肌側へ向けて圧搾したエンボス溝が形成されている請求項１、２いずれかに記載の吸収性物品。
【請求項４】
前記長手方向凹溝及び幅方向凹溝のうち、一方側の凹溝は、前記吸収体の肌側面から圧搾したエンボス部からなり、他方側の凹溝は、前記吸収体の肌側の積繊量を低減した凹部からなる請求項１〜３いずれかに記載の吸収性物品。
【請求項５】
前記臀部溝対応凹溝は、前記吸収体の長手方向中間部の幅方向中央部から前記吸収体の後端にかけて、長手方向に沿って形成された、非肌側面から肌側へ向けて圧搾したエンボス部からなる請求項１〜４いずれかに記載の吸収性物品。
【発明の詳細な説明】
【技術分野】
【０００１】
本発明は、生理用ナプキン、パンティライナー、失禁パッド等の吸収性物品に係り、詳しくは吸収体の後方部の肌側面に、非肌側に窪む表面側凹溝と、前記表面側凹溝によって区画された複数の区画吸収部とが形成され、かつ吸収体の後方部の非肌側面に、肌側に窪む臀部溝対応凹溝が形成された吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、綿状パルプなどからなる吸収体を介在したものが知られている。
【０００３】
就寝時などにおける漏れなどを防止した夜用の生理用ナプキンでは、吸収量を確保するため吸収体を厚くしたものが多く市場に提供されているが、吸収体が厚いとごわ付いて装着感が悪化する問題があった。近年では、夜用の生理用ナプキンにおいても装着感を向上するため、薄型化したものが要求されている。しかし、単に吸収体を薄型化しただけでは、吸収量不足による漏れや、肌面とのフィット性の悪さから伝い漏れのおそれがあり、着用者にも不安感を与えていた。
【０００４】
この種の吸収性物品にも幾多の改良が重ねられ、吸収体の柔軟性を向上して肌面との隙間を低減し、漏れを防止したものが開発されている。例えば、下記特許文献１においては、吸収性コアは、排泄部対向部における幅方向の中央部に前方中高領域を有するとともに、後方部における幅方向の中央部に後方中高領域を有しており、前記前方中高領域及び前記後方中高領域は、それぞれ吸収性コアの幅方向に延びる溝部によって分割され、吸収性コアの長手方向に沿って並んだ複数の小吸収部が形成された吸収性物品が開示されている。
【０００５】
また、下記特許文献２においては、吸収層は、肌当接面側に溝を備える離間部と、該離間部によって区画された該離間部よりも高坪量である小吸収部とを有し、前記小吸収部には、非肌当接側面に、肌当接面側へ向かう圧搾凹部を有する吸収性物品が開示されている。
【先行技術文献】
【特許文献】
【０００６】
【特許文献１】特開２０１５−９７７１５号公報
【特許文献２】特開２０１４−９７２４１号公報
【発明の概要】
【発明が解決しようとする課題】
【０００７】
しかしながら、上記特許文献１、２記載の吸収性物品では、凹溝によって区画された小吸収部がそれぞれ、吸収体の長手方向に長い長方形状を成しているため、身体の部分によって異なる丸みに沿って変形しにくく、充分満足できるフィット性が得られない場合があった。
【０００８】
特に夜用の生理用ナプキンにおいては、着用者の臀部を広く覆うように通常のものより後方に長く形成されているため、吸収性物品の後方部が臀部の外側に膨出する丸みに沿うとともに、窪んだ溝状の臀部溝に沿って変形しやすい構造であることが要求される。
【０００９】
そこで本発明の主たる課題は、吸収性物品の後方部を身体の形状に沿って変形しやすくし、フィット性を向上した吸収性物品を提供することにある。
【課題を解決するための手段】
【００１０】
上記課題を解決するために請求項１に係る本発明として、少なくとも吸収体が備えられた吸収性物品において、
前記吸収体の後方部の肌側面に、非肌側に窪む表面側凹溝が所定のパターンで形成されるとともに、前記表面側凹溝によって区画された複数の区画吸収部が形成され、かつ前記吸収体の後方部の非肌側面であって、臀部溝に対応する位置に、肌側に窪む臀部溝対応凹溝が形成され、
前記表面側凹溝は、吸収性物品の略長手方向に沿うとともに幅方向に間隔をあけて配置された複数の長手方向凹溝と、吸収性物品の略幅方向に沿うとともに長手方向に間隔をあけて配置された複数の幅方向凹溝とからなり、前記長手方向凹溝は、吸収性物品の前側から後側に向けて幅方向の外方側に傾斜する放射状に形成されていることを特徴とする吸収性物品が提供される。
【００１１】
上記請求項１記載の発明では、前記吸収体の後方部の肌側面に、所定のパターンで形成された非肌側に窪む表面側凹溝と、前記表面側凹溝によって区画された複数の区画吸収部とが形成されているため、前記表面側凹溝を基点として隣り合う区画吸収部の間が内側に折れ曲がるように変形することによって、吸収体の後方部が外側に膨出する臀部の丸みに沿って柔軟に変形しやすくなり、臀部とのフィット性が向上できる。
【００１２】
また、前記吸収体の後方部の非肌側面には、臀部溝に対応する位置に、臀部溝対応凹溝が形成されているため、前記臀部溝対応凹溝を可撓軸として、吸収体が臀部溝に沿って肌側に向けた凸状に変形しやすくなり、この凸状に変形した部分が臀部溝に入り込むことによって臀部溝とのフィット性が向上できる。
【００１３】
更に、前記表面側凹溝は、吸収性物品の前側から後側に向けて幅方向の外方側に傾斜する放射状に形成された長手方向凹溝を有するため、吸収体の後方部が臀部の丸みに沿ってより柔軟に変形できるようになる。すなわち、長手方向凹溝を前述の放射状に形成することにより、隣り合う長手方向凹溝の離間距離が、股下側寄り位置より背側寄り位置の方が広くなるため、股下側において臀部の細かな丸みの変化に対応できるとともに、背側において臀部の大きな丸みに対応できるようになる。したがって、吸収体の後方部が確実に臀部の形状に沿って柔軟に変形できるようになる。
【００１４】
請求項２に係る本発明として、前記表面側凹溝の溝幅は、吸収性物品の長手方向の前側より後側の方が漸次大きくなるように形成されるとともに、吸収性物品の幅方向の中央より外方側の方が漸次大きくなるように形成されている請求項１記載の吸収性物品が提供される。
【００１５】
上記請求項２記載の発明では、吸収体をより一層臀部の丸みに沿って変形しやすくするため、表面側凹溝の溝幅を、前側より後側の方が大きく、かつ幅方向中央より外方側の方が大きくなるように形成している。上記特許文献１、２記載の吸収性物品では、凹溝の断面寸法がほぼ一定であると推定できるため、凹溝を基点として変形した場合、隣り合う小吸収部の成す角（折れ角）は、全ての領域で凹溝の両側壁が当接する一定の範囲までであり、場所によって変化する身体の丸みの大きさに追随して変形しにくい構造であった。つまり、身体の丸みが緩やかな部分では、凹溝の両側壁間に隙間が生じ、その部分が窪み部となって、肌面との間に隙間が生じ、この隙間を通じて体液が流れやすくなるとともに、身体の丸みが大きな部分では、凹溝の両側壁が当接してそれ以上折れ曲がりにくくなるため、隣り合う小吸収部同士の折れ角が不足して小吸収部の表面と肌面との間に隙間が生じ、この隙間を通じて体液が流れやすくなる。これに対して、本発明では、前記表面側凹溝の溝幅を場所によって変化させることにより、隣り合う区画吸収部の折れ角が、長手方向の前側より後側の方が大きく、かつ幅方向中央より外方側の方が大きくなるようにしている。これによって、長手方向の後側及び幅方向の外方側の方が丸みがきつくなる臀部の形状に沿って吸収体が変形しやすくなり、臀部とのフィット性が向上できる。
【００１６】
請求項３に係る本発明として、前記表面側凹溝の底部に沿って肌側面から非肌側へ向けて圧搾したエンボス溝が形成されている請求項１、２いずれかに記載の吸収性物品が提供される。
【００１７】
上記請求項３記載の発明では、表面側凹溝の底面に沿って肌側面から非肌側へ向けて圧搾したエンボス溝が形成されているため、前記エンボス溝によって凹溝の底部が圧密化され、繊維の毛管作用によって、吸収体に吸収された体液が凹溝に沿って拡散しやすくなるとともに、吸収された体液が吸収体の広範囲に拡散することに伴い体液の漏れが防止できるようになる。
【００１８】
請求項４に係る本発明として、前記長手方向凹溝及び幅方向凹溝のうち、一方側の凹溝は、前記吸収体の肌側面から圧搾したエンボス部からなり、他方側の凹溝は、前記吸収体の肌側の積繊量を低減した凹部からなる請求項１〜３いずれかに記載の吸収性物品が提供される。
【００１９】
上記請求項４記載の発明では、装着時に吸収体が身体の形状に沿って変形した際、長手方向凹溝及び幅方向凹溝のうち、一方側の凹溝がエンボス部によって形成されているため、吸収体の強度が確保でき、吸収体の割れが防止できるようになる。
【００２０】
請求項５に係る本発明として、前記臀部溝対応凹溝は、前記吸収体の長手方向中間部の幅方向中央部から前記吸収体の後端にかけて、長手方向に沿って形成された、非肌側面から肌側へ向けて圧搾したエンボス部からなる請求項１〜４いずれかに記載の吸収性物品が提供される。
【００２１】
上記請求項５記載の発明では、前記臀部溝対応凹溝を、所定の位置に、エンボス部によって形成しているため、吸収体の後方部が臀部溝に沿って変形しやすくなるとともに、臀部溝に入り込んだ吸収体が臀部の動きなどによって割れるのが防止できるようになる。
【発明の効果】
【００２２】
以上詳説のとおり本発明によれば、吸収性物品の後方部が身体の形状に沿って変形しやすくなり、フィット性が向上できるようになる。
【図面の簡単な説明】
【００２３】
【図１】本発明に係る生理用ナプキン１の一部破断展開図である。
【図２】図１のII−II線矢視図である。
【図３】図１のIII−III線矢視図である。
【図４】吸収体４の肌側面の平面図である。
【図５】表面側凹溝１０を基点とした吸収体４の変形状態を示す断面図である。
【図６】変形例に係る表面側凹溝１０を基点とした吸収体４の変形状態を示す断面図である。
【図７】(A)は長手方向前側又は幅方向中央側の表面側凹溝１０、(B)は長手方向後側又は幅方向外方側の表面側凹溝１０を示す断面図である。
【図８】表面側凹溝１０の底部にエンボス溝１５を形成した場合の吸収体４の断面図である。
【発明を実施するための形態】
【００２４】
以下、本発明の実施の形態について図面を参照しながら詳述する。
【００２５】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２６】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２７】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２８】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２９】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３０】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３１】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３２】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００３３】
〔凹溝〕
以下、前記吸収体４に形成される凹溝について説明する。図４に示されるように、前記吸収体４の後方部の肌側面には、非肌側に窪む表面側凹溝１０が所定のパターンで形成されるとともに、前記表面側凹溝１０によって区画された複数の区画吸収部１１、１１…が形成され、かつ前記吸収体４の後方部の非肌側面であって、着用者の臀部溝に対応する位置に、臀部溝に沿って肌側に窪む臀部溝対応凹溝１２が形成されている。
【００３４】
前記表面側凹溝１０、区画吸収部１１及び臀部溝対応凹溝１２が形成される吸収体４の後方部とは、図１に示されるように、前記ウイング状フラップＷより長手方向後側の領域、すなわち着用者の体液排出部Ｈに対応する領域より長手方向後側の領域のことである。より好ましくは、ヒップホールド用フラップＷＢが形成された領域であって、後側にいくに従って徐々に幅方向外側に突出するヒップホールド用フラップＷＢが所定の幅以上になった部位より長手方向の後側、具体的には、ウイング状フラップＷの後端部における吸収体４の側縁から生理用ナプキン１の側縁までの長さが最も小さくなる部分におけるフラップ幅Ａと、前記表面側凹溝１０及び臀部溝対応凹溝１２の前端におけるフラップ幅Ｂとの比Ｂ／Ａが、２．０〜３．０程度となる位置より長手方向の後側の領域のことである。
【００３５】
前記表面側凹溝１０、区画吸収部１１及び臀部溝対応凹溝１２は、生理用ナプキン１の後方部のみに形成され、これより前側の領域には形成されていない。前記表面側凹溝１０、区画吸収部１１及び臀部溝対応凹溝１２は、吸収体を臀部の形状に沿って変形しやすくするためのものであり、前方部では吸収体の変形状態が異なるため、むしろ設けないのが望ましい。
【００３６】
前記表面側凹溝１０が形成される吸収体４の肌側面とは、吸収体４の肌当接面のことであり、前記臀部溝対応凹溝１２が形成される非肌側面とは、吸収体４の非肌当接面（下着側面）のことである。
【００３７】
本生理用ナプキン１においては、前記吸収体４の後方部の肌側面に、所定のパターンで形成された非肌側に窪む表面側凹溝１０と、前記表面側凹溝１０によって区画された複数の区画吸収部１１とが形成されているため、図５及び図６に示されるように、非肌側に窪む前記表面側凹溝１０を基点として、前記表面側凹溝１０の両側壁が閉じるように隣り合う区画吸収部１１、１１の間が内側に折れ曲がることにより、吸収体の後方部が全体として外側に膨出して柔軟に変形しやすくなる。これによって、吸収体４の後方部が臀部の丸みに沿って柔軟に変形し、臀部とのフィット性が向上できる。
【００３８】
また、前記吸収体４の後方部の非肌側面には、臀部溝に対応する位置に、臀部溝対応凹溝１２が形成されているため、前記臀部溝対応凹溝１２を可撓軸として、吸収体４が臀部溝に沿って肌側に向けた凸状に変形しやすくなり、この凸状に変形した部分が臀部溝に入り込むことによって臀部溝とのフィット性が向上できる。
【００３９】
前記表面側凹溝１０は、前記吸収体４の後方部の肌側面に形成された、非肌側に窪む凹溝である。前記表面側凹溝１０は、吸収体４のみを非肌側に窪ませて形成してもよいし、被包シート５及び吸収体４を一体的に非肌側に窪ませて形成してもよいし、透液性表面シート３から吸収体４にかけて一体的に非肌側に窪ませて形成してもよい。何れにしても、吸収体４がこの表面側凹溝１０を基点として折れ曲がりやすくなっていればよい。
【００４０】
前記表面側凹溝１０は、肌側面が周辺の部分より非肌側に窪んだ厚みが薄く形成された部分であり、吸収体４の曲げ剛性が弱くなった部分である。前記吸収体４は、前記表面側凹溝１０において分割されることなく、前記表面側凹溝１０の底部には吸収体が存在している。
【００４１】
前記表面側凹溝１０は、図４に示されるように、生理用ナプキン１の略長手方向に沿うとともに幅方向に間隔をあけて配置された複数の長手方向凹溝１３、１３…と、生理用ナプキン１の略幅方向に沿うとともに長手方向に間隔をあけて配置された複数の幅方向凹溝１４、１４…とから構成されている。
【００４２】
前記長手方向凹溝１３が長手方向の中間位置から後側に向けて吸収体４の後側端縁又は側方端縁の近傍位置まで形成され、隣り合う長手方向凹溝１３、１３の間が長手方向に所定の間隔で幅方向凹溝１４によって区画されている。
【００４３】
前記長手方向凹溝１３は直線で構成され、隣り合う長手方向凹溝１３、１３間を結ぶ幅方向凹溝１４は長手方向凹溝１３とほぼ直交する直線で構成されている。前記幅方向凹溝１４は、１組の長手方向凹溝１３、１３間に配置された幅方向凹溝１４の端縁から連続して、これと隣接する次の長手方向凹溝１３に向けて延びている。このため、前記幅方向凹溝１４は、全体として、吸収体４の幅方向に連続する線状に形成されている。
【００４４】
前記長手方向凹溝１３は、生理用ナプキン１の前側から後側に向けて幅方向の外方側に傾斜する放射状に形成されている。すなわち、隣り合う長手方向凹溝１３、１３の離間距離が、生理用ナプキン１の前側より後側の方が相対的に大きく形成されている。前記放射状とは、長手方向中心線ＣＬ上の１点又は互いに近接する複数の点を中心として、長手方向後側の幅方向外方側に向けて、長手方向中心線ＣＬとの成す角を変化させた複数の直線で構成したものである。
【００４５】
本生理用ナプキン１においては、前記長手方向凹溝１３を生理用ナプキン１の前側から後側に向けて幅方向の外方側に傾斜する放射状に形成することにより、吸収体４の後方部が臀部の丸みに沿ってより柔軟に変形できるようになっている。すなわち、長手方向凹溝１３を前述の放射状に形成することにより、隣り合う長手方向凹溝１３、１３の離間距離が、股下側寄り位置より背側寄り位置の方が広くなるため、股下側において臀部の細かな丸みの変化に対応できるとともに、背側において臀部の大きな丸みに対応できるようになる。したがって、吸収体４の後方部が確実に臀部の形状に沿って柔軟に変形できるようになる。
【００４６】
前記表面側凹溝１０、区画吸収部１１及び臀部溝対応凹溝１２が形成される吸収体４の厚みは、３〜２０ｍｍ、好ましくは５〜１５ｍｍとするのがよい。
【００４７】
隣り合う長手方向凹溝１３、１３の離間距離（区画吸収部１１の幅方向長さ）は、５〜３０ｍｍ、好ましくは１０〜２０ｍｍとするのがよい。隣り合う長手方向凹溝１３、１３の離間距離は、図４に示されるように、前側端部の離間距離Ｃと後側端部の離間距離Ｄとの比Ｄ／Ｃが、１．３〜４．０倍、好ましくは１．５〜２．５倍とするのがよい。この前側端部と後側端部の離間距離の比Ｄ／Ｃは、長手方向凹溝１３が吸収体４の後側端縁の近傍まで形成される場合の比であり、図示例のように、最も幅方向外側の長手方向凹溝１３のように吸収体４の後側端縁まで延びず吸収体４の側方端縁の近傍で途切れている場合、これより内側の吸収体４の後側端縁の近傍まで形成した長手方向凹溝１３と同様に、吸収体４の後側端縁の近傍まで延長した場合の前側端部の離間距離Ｃと後側端部の離間距離Ｄをとればよい。
【００４８】
前記幅方向凹溝１４は、隣り合う長手方向凹溝１３、１３の間において、これらの中央部を通る仮想線（図示せず）にほぼ直交する直線で形成するのが好ましい。
【００４９】
前記長手方向凹溝１３が放射状に形成され、前記幅方向凹溝１４が隣り合う長手方向凹溝１３、１３の中央部を通る仮想線にほぼ直交して形成されることにより、前記幅方向凹溝１４は、吸収体４の幅方向に対して、前記長手方向凹溝１３において屈折する折れ線状に形成されるようになる。
【００５０】
長手方向に隣り合う幅方向凹溝１４の離間距離Ｅ（区画吸収部１１の長手方向長さ）は、全体に亘ってほぼ均等に形成してもよいし、臀部の丸みに適合するように場所によって異なる寸法としてもよい。異なる寸法とする場合、長手方向前側の寸法を相対的に小さくし、長手方向後側の寸法を相対的に大きくするのが好ましい。前記離間距離Ｅとしては、１０〜５０ｍｍ、好ましくは１５〜３０ｍｍとするのがよい。
【００５１】
前記表面側凹溝１０は、吸収体４の後側端縁及び側方端縁まで達しない吸収体４の中間部に形成するのが好ましい。つまり、表面側凹溝１０の端縁と吸収体４の端縁との間に吸収体の肌側面が非肌側に窪んでいない余裕部を持たせるのが良い。これにより、装着時に吸収体４が変形した際の吸収体４の割れが防止できるようになる。
【００５２】
前記長手方向凹溝１３は、図４に示されるように、吸収体４の長手方向中心線ＣＬに対して左右対称に配置されている。前記長手方向凹溝１３は、吸収体４の長手方向中心線ＣＬの左右にそれぞれ設けられ、長手方向中心線ＣＬ上には設けないのが好ましい。長手方向中心線ＣＬ上には、非肌側面に肌側に窪む臀部溝対応凹溝１２が設けられるため、肌側面から非肌側に窪む凹溝を設けるのは好ましくない。
【００５３】
前記表面側凹溝１０の断面形状は、三角形状（図５）、台形状（図６）、Ｕ字状など、特に限定されないが、図５に示されるように、底部で両側壁が交差又は近接する略三角形状に形成するのが好ましい。これにより、装着時に表面側凹溝１０を基点として吸収体４が変形したとき、図５(B)に示されるように、前記表面側凹溝１０が閉じるように両側壁がほぼ隙間なく当接するため、隙間を通じた体液の流れが生じにくくなる。一方、図６に示されるように、表面側凹溝１０の断面形状を台形状とした場合、装着時に表面側凹溝１０を基点として吸収体４が変形したとき、同図６(B)に示されるように、両側壁の溝頂部同士が当接するが、溝底部が離間するように変形する。
【００５４】
前記表面側凹溝１０の溝幅は、全体に亘ってほぼ均等に形成してもよいが、図４及び図７に示されるように、生理用ナプキン１の長手方向の前側より後側の方が漸次大きくなるように形成するとともに、生理用ナプキン１の幅方向の中央より外方側の方が漸次大きくなるように形成するのが好ましい。これにより、吸収体４がより一層臀部の丸みに沿って変形しやすくなる。すなわち、表面側凹溝１０の溝幅が大きな部分では、隣り合う区画吸収部１１、１１の折れ角が大きくなり、表面側凹溝１０の溝幅が小さな部分では、隣り合う区画吸収部１１、１１の折れ角が小さくなる。従って、長手方向の後側及び幅方向の外方側の方が丸みがきつくなる臀部の形状に沿って、吸収体４が変形しやすくなる。図７(A)は、表面側凹溝１０の溝幅を相対的に小さく形成したものであり、図７(B)は、表面側凹溝１０の溝幅を相対的に大きく形成したものである。ここで、前記溝幅とは、溝頂部における両側壁の離間距離をいう。
【００５５】
前記表面側凹溝１０の断面形状を略三角形状に形成した場合、図７に示されるように、表面側凹溝１０の前側であって幅方向中央側において、溝幅を相対的に小さく形成したものでは、両側壁の成す角度αａが相対的に小さく、表面側凹溝１０の後側であって幅方向外方側において、溝幅を相対的に大きく形成したものでは、両側壁の成す角度αｂが相対的に大きくなる。前記αａとしては、１０〜４５°、好ましくは２０〜３０°とするのがよく、前記αｂとしては、３０〜９０°、好ましくは４０〜５０°とするのがよい。
【００５６】
前記表面側凹溝１０の溝深さは、吸収体４の厚みに対して、２０〜５０％とするのが好ましい。
【００５７】
前記表面側凹溝１０には、図８に示されるように、溝底部に沿って肌側面から非肌側へ向けて圧搾したエンボス溝１５を設けるのが好ましい。前記エンボス溝１５を設けることにより、表面側凹溝１０の底部が圧密化され、繊維の毛管作用によって、吸収体４に吸収された体液が表面側凹溝１０に沿って拡散しやすくなるとともに、吸収された体液が吸収体４の広範囲に拡散することによる体液の漏れが防止できるようになる。
【００５８】
前記エンボス溝１５の溝幅は、表面側凹溝１０の溝幅（溝頂部における両側壁の離間距離）より小さくするのが好ましい。前記エンボス溝１５は、表面側凹溝１０の全体に設けてもよいし、一部に設けてもよい。一部に設ける場合は、吸収体４の長手方向への体液の拡散を促進するため、長手方向凹溝１３のみに設け、幅方向凹溝１４には設けないようにしたり、吸収体４の中間部での体液の拡散を促進し、端縁部での拡散を抑制するため、吸収体４の幅方向中央側及び長手方向中央側の表面側凹溝１０のみに設け、吸収体４の端縁周辺の表面側凹溝１０には設けないようにしたりすることができる。
【００５９】
前記表面側凹溝１０を形成するには、吸収体に凹溝を形成する公知の形態を制限なく用いることが可能である。例えば、吸収体４の肌側の積繊量を低減する形態、吸収体４の肌側面から圧搾する形態などを適用できる。
【００６０】
好ましい実施形態として、前記長手方向凹溝１３は、吸収体４の肌側面から圧搾したエンボス部で構成し、前記幅方向凹溝１４は、吸収体４の肌側の積繊量を低減した凹部で構成することができる。これによって、装着時に吸収体４が身体の形状に沿って変形した際、長手方向凹溝１３がエンボス部によって形成されているため、吸収体４の強度が確保でき、吸収体４の割れが防止できるようになる。上記の「吸収体４の肌側面から圧搾したエンボス部」は、吸収体４（又は被包シート５）の肌側面からの圧搾により吸収体４のみ（又は被包シート５及び吸収体４のみ）を窪ませたエンボス部でもよいし、透液性表面シート３の肌側面からの圧搾により透液性表面シート３から吸収体４にかけて一体的に窪ませたエンボス部でもよい。
【００６１】
前記区画吸収部１１は、前記表面側凹溝１０によって周囲が区画された四角形状の吸収体部分であり、前記表面側凹溝１０より相対的に厚い厚みで形成されている。具体的には、両側がそれぞれ長手方向凹溝１３によって区画され、前後がそれぞれ幅方向凹溝１４によって区画されている。前記区画吸収部１１は、吸収体４の長手方向及び幅方向に沿ってそれぞれ複数形成されている。前記区画吸収部１１の大きさは均一ではなく、前述の通り長手方向凹溝１３が放射状に形成されることにより、吸収体４の後側にいくに従って相対的に大きな面積で形成されている。
【００６２】
長手方向中心線ＣＬを横断する区画吸収部１１は、他の領域に形成される区画吸収部１１と比べ相対的に大きな面積で形成するのが好ましい。長手方向中心線ＣＬを横断する区画吸収部１１は、吸収体４の非肌側面に設けられた臀部溝対応凹溝１２によって幅方向に折れ曲がり、装着時に臀部溝に入り込む部分であるため、あまり小さな面積で形成されていると、折れ曲がりにくいとともに、臀部溝に入り込んだ吸収体４の割れが生じやすくなる。長手方向中心線ＣＬを横断する区画吸収部１１の面積は、他の領域の面積の１．５倍〜３倍とするのがよく、２倍程度が最も好ましい。
【００６３】
隣り合う区画吸収部１１、１１は、図５(A)、図６(A)に示されるように、装着前の生理用ナプキン１の展開状態では、表面側凹溝１０を介して並列的に配置され、図５(B)、図６(B)に示されるように、装着時に前記表面側凹溝１０を基点に変形した状態では、所定の折れ角を有しながらほぼ隣接して配置されるようになる。前記区画吸収部１１は、装着時に折れ曲がりなどが生じず、区画吸収部１１の肌側面が肌面に対向するようになる。
【００６４】
前記臀部溝対応凹溝１２は、吸収体４の後方部の非肌側面に形成された、肌側に窪む凹溝である。前記臀部溝対応凹溝１２は、吸収体４のみを非肌側に窪ませて形成してもよいし、被包シート５及び吸収体４を一体的に非肌側に窪ませて形成してもよい。
【００６５】
前記臀部溝対応凹溝１２は、吸収体４の後方部の非肌側面であって、臀部溝に対応する位置に、臀部溝に沿って１条の直線状に形成されている。つまり、吸収体４の長手方向中間部の幅方向中央部から吸収体４の後端にかけて、長手方向に沿って形成するのが好ましい。これにより、前記臀部溝対応凹溝１２を可撓軸として、吸収体４の幅方向中央部が長手方向に沿って肌側に突出しやすくなり、凸状に変形した部分が臀部溝に入り込んで身体とのフィット性が向上できるようになる。
【００６６】
前記臀部溝対応凹溝１２の前側端縁は、前記表面側凹溝１０の前側端縁とほぼ一致するように配置するのが好ましい。これによって、表面側凹溝１０による臀部の丸みに沿った変形と、臀部溝対応凹溝１２による臀部溝に沿った変形とが、ほぼ一致した位置から生じるようになる。一方、前記臀部溝対応凹溝１２の後側端縁は、吸収体４の後側端縁まで形成するのが好ましい。つまり、表面側凹溝１０の後側端縁より後側に突出して形成されている。これによって、吸収体４の後方部が後側端縁にかけて、臀部溝に沿って変形しやすくなり、臀部溝に対するフィット性が確実に向上できる。
【００６７】
前記臀部溝対応凹溝１２は、吸収体４の非肌側面から肌側へ向けて圧搾したエンボス部によって構成するのが好ましい。これによって、臀部溝に入り込んだ部分が臀部溝の動きによって割れるのが防止できるようになる。
【００６８】
前記臀部溝対応凹溝１２の断面形状も上述の表面側凹溝１０と同様に、三角形状（図５）、台形状（図６）、Ｕ字状など、特に限定されない。
【００６９】
前記臀部溝対応凹溝１２の溝幅は、前記表面側凹溝１０より相対的に大きく形成されている。具体的には、２〜２０ｍｍとするのがよい。前記臀部溝対応凹溝１２は、全長に亘ってほぼ均等な溝幅で形成するのが好ましい。
【００７０】
前記臀部溝対応凹溝１２の溝深さは、吸収体４の厚みに対して、２０〜５０％とするのが好ましい。
【００７１】
〔他の形態例〕
(1)図１に示される生理用ナプキン１では、前記表面側凹溝１０より前側部分に凹溝が形成されていないが、吸収体４の肌側面に非肌側に窪む凹溝を適宜のパターンで形成してもよい。
【００７２】
(2)前記吸収体４の体液排出部Ｈに対応する部位を含む領域に、肌側に増厚された吸収体の中高部（図示せず）を設けてもよい。前記中高部は、吸収体４の肌側面に隣接するとともに、吸収体４の幅方向中央部に配置され、吸収体４より小さな幅寸法及び長手寸法で形成されている。
【符号の説明】
【００７３】
１…生理用ナプキン、２…不透液性裏面シート、３…透液性表面シート、４…吸収体、５…被包シート、７…サイド不織布、１０…表面側凹溝、１１…区画吸収部、１２…臀部溝対応凹溝、１３…長手方向凹溝、１４…幅方向凹溝、１５…エンボス溝
【図１】
2019017636.tif 000003
【図２】
2019017636.tif 000004
【図３】
2019017636.tif 000005
【図４】
2019017636.tif 000006
【図５】
2019017636.tif 000007
【図６】
2019017636.tif 000008
【図７】
2019017636.tif 000009
【図８】
2019017636.tif 000010
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
少なくとも吸収体が備えられた吸収性物品において、
前記吸収体の後方部の肌側面に、非肌側に窪む表面側凹溝が所定のパターンで形成されるとともに、前記表面側凹溝によって区画された複数の区画吸収部が形成され、かつ前記吸収体の後方部の非肌側面であって、臀部溝に対応する位置に、肌側に窪む臀部溝対応凹溝が形成され、
前記表面側凹溝は、吸収性物品の略長手方向に沿うとともに幅方向に間隔をあけて配置された複数の長手方向凹溝と、吸収性物品の略幅方向に沿うとともに長手方向に間隔をあけて配置された複数の幅方向凹溝とからなり、
前記長手方向凹溝は、吸収性物品の前側から後側に向けて幅方向の外方側に傾斜する放射状に形成され、前記幅方向凹溝は、隣り合う長手方向凹溝の中央部を通る仮想線に直交して形成されることにより、前記幅方向凹溝は前記吸収体の幅方向に対して、前記長手方向凹溝において屈折する折れ線状に形成されていることを特徴とする吸収性物品。
【請求項２】
前記区画吸収部の長手方向長さは、長手方向前側の寸法を相対的に小さくし、長手方向後側の寸法を相対的に大きくしており、前記区画吸収部は、吸収体の後側にいくに従って相対的に大きな面積で形成されている請求項１記載の吸収性物品。
【請求項３】
前記表面側凹溝の溝幅は、吸収性物品の長手方向の前側より後側の方が漸次大きくなるように形成されるとともに、吸収性物品の幅方向の中央より外方側の方が漸次大きくなるように形成されている請求項１、２いずれかに記載の吸収性物品。
【請求項４】
前記長手方向凹溝及び幅方向凹溝のうち、一方側の凹溝は、前記吸収体の肌側面から圧搾したエンボス部からなり、他方側の凹溝は、前記吸収体の肌側の積繊量を低減した凹部からなる請求項１〜３いずれかに記載の吸収性物品。
【請求項５】
前記長手方向凹溝は、吸収体の長手方向中心線の左右にそれぞれ設けられ、長手方向中心線上に設けられておらず、前記臀部溝対応凹溝は、前記吸収体の長手方向中間部の幅方向中央部から前記吸収体の後端にかけて、長手方向に沿って形成された、非肌側面から肌側へ向けて圧搾したエンボス部からなる請求項１〜４いずれかに記載の吸収性物品。
【手続補正２】
【補正対象書類名】明細書
【補正対象項目名】全文
【補正方法】変更
【補正の内容】
【発明の詳細な説明】
【技術分野】
【０００１】
本発明は、生理用ナプキン、パンティライナー、失禁パッド等の吸収性物品に係り、詳しくは吸収体の後方部の肌側面に、非肌側に窪む表面側凹溝と、前記表面側凹溝によって区画された複数の区画吸収部とが形成され、かつ吸収体の後方部の非肌側面に、肌側に窪む臀部溝対応凹溝が形成された吸収性物品に関する。
【背景技術】
【０００２】
従来より、前記吸収性物品として、ポリエチレンシートまたはポリエチレンシートラミネート不織布などの不透液性裏面シートと、不織布または透液性プラスチックシートなどの透液性表面シートとの間に、綿状パルプなどからなる吸収体を介在したものが知られている。
【０００３】
就寝時などにおける漏れなどを防止した夜用の生理用ナプキンでは、吸収量を確保するため吸収体を厚くしたものが多く市場に提供されているが、吸収体が厚いとごわ付いて装着感が悪化する問題があった。近年では、夜用の生理用ナプキンにおいても装着感を向上するため、薄型化したものが要求されている。しかし、単に吸収体を薄型化しただけでは、吸収量不足による漏れや、肌面とのフィット性の悪さから伝い漏れのおそれがあり、着用者にも不安感を与えていた。
【０００４】
この種の吸収性物品にも幾多の改良が重ねられ、吸収体の柔軟性を向上して肌面との隙間を低減し、漏れを防止したものが開発されている。例えば、下記特許文献１においては、吸収性コアは、排泄部対向部における幅方向の中央部に前方中高領域を有するとともに、後方部における幅方向の中央部に後方中高領域を有しており、前記前方中高領域及び前記後方中高領域は、それぞれ吸収性コアの幅方向に延びる溝部によって分割され、吸収性コアの長手方向に沿って並んだ複数の小吸収部が形成された吸収性物品が開示されている。
【０００５】
また、下記特許文献２においては、吸収層は、肌当接面側に溝を備える離間部と、該離間部によって区画された該離間部よりも高坪量である小吸収部とを有し、前記小吸収部には、非肌当接側面に、肌当接面側へ向かう圧搾凹部を有する吸収性物品が開示されている。
【先行技術文献】
【特許文献】
【０００６】
【特許文献１】特開２０１５−９７７１５号公報
【特許文献２】特開２０１４−９７２４１号公報
【発明の概要】
【発明が解決しようとする課題】
【０００７】
しかしながら、上記特許文献１、２記載の吸収性物品では、凹溝によって区画された小吸収部がそれぞれ、吸収体の長手方向に長い長方形状を成しているため、身体の部分によって異なる丸みに沿って変形しにくく、充分満足できるフィット性が得られない場合があった。
【０００８】
特に夜用の生理用ナプキンにおいては、着用者の臀部を広く覆うように通常のものより後方に長く形成されているため、吸収性物品の後方部が臀部の外側に膨出する丸みに沿うとともに、窪んだ溝状の臀部溝に沿って変形しやすい構造であることが要求される。
【０００９】
そこで本発明の主たる課題は、吸収性物品の後方部を身体の形状に沿って変形しやすくし、フィット性を向上した吸収性物品を提供することにある。
【課題を解決するための手段】
【００１０】
上記課題を解決するために請求項１に係る本発明として、少なくとも吸収体が備えられた吸収性物品において、
前記吸収体の後方部の肌側面に、非肌側に窪む表面側凹溝が所定のパターンで形成されるとともに、前記表面側凹溝によって区画された複数の区画吸収部が形成され、かつ前記吸収体の後方部の非肌側面であって、臀部溝に対応する位置に、肌側に窪む臀部溝対応凹溝が形成され、
前記表面側凹溝は、吸収性物品の略長手方向に沿うとともに幅方向に間隔をあけて配置された複数の長手方向凹溝と、吸収性物品の略幅方向に沿うとともに長手方向に間隔をあけて配置された複数の幅方向凹溝とからなり、
前記長手方向凹溝は、吸収性物品の前側から後側に向けて幅方向の外方側に傾斜する放射状に形成され、前記幅方向凹溝は、隣り合う長手方向凹溝の中央部を通る仮想線に直交して形成されることにより、前記幅方向凹溝は前記吸収体の幅方向に対して、前記長手方向凹溝において屈折する折れ線状に形成されていることを特徴とする吸収性物品が提供される。
【００１１】
上記請求項１記載の発明では、前記吸収体の後方部の肌側面に、所定のパターンで形成された非肌側に窪む表面側凹溝と、前記表面側凹溝によって区画された複数の区画吸収部とが形成されているため、前記表面側凹溝を基点として隣り合う区画吸収部の間が内側に折れ曲がるように変形することによって、吸収体の後方部が外側に膨出する臀部の丸みに沿って柔軟に変形しやすくなり、臀部とのフィット性が向上できる。
【００１２】
また、前記吸収体の後方部の非肌側面には、臀部溝に対応する位置に、臀部溝対応凹溝が形成されているため、前記臀部溝対応凹溝を可撓軸として、吸収体が臀部溝に沿って肌側に向けた凸状に変形しやすくなり、この凸状に変形した部分が臀部溝に入り込むことによって臀部溝とのフィット性が向上できる。
【００１３】
更に、前記表面側凹溝は、吸収性物品の前側から後側に向けて幅方向の外方側に傾斜する放射状に形成された長手方向凹溝を有するため、吸収体の後方部が臀部の丸みに沿ってより柔軟に変形できるようになる。すなわち、長手方向凹溝を前述の放射状に形成することにより、隣り合う長手方向凹溝の離間距離が、股下側寄り位置より背側寄り位置の方が広くなるため、股下側において臀部の細かな丸みの変化に対応できるとともに、背側において臀部の大きな丸みに対応できるようになる。したがって、吸収体の後方部が確実に臀部の形状に沿って柔軟に変形できるようになる。
【００１４】
請求項２に係る本発明として、前記区画吸収部の長手方向長さは、長手方向前側の寸法を相対的に小さくし、長手方向後側の寸法を相対的に大きくしており、前記区画吸収部は、吸収体の後側にいくに従って相対的に大きな面積で形成されている請求項１記載の吸収性物品が提供される。
【００１５】
請求項３に係る本発明として、前記表面側凹溝の溝幅は、吸収性物品の長手方向の前側より後側の方が漸次大きくなるように形成されるとともに、吸収性物品の幅方向の中央より外方側の方が漸次大きくなるように形成されている請求項１、２いずれかに記載の吸収性物品が提供される。
【００１６】
上記請求項３記載の発明では、吸収体をより一層臀部の丸みに沿って変形しやすくするため、表面側凹溝の溝幅を、前側より後側の方が大きく、かつ幅方向中央より外方側の方が大きくなるように形成している。上記特許文献１、２記載の吸収性物品では、凹溝の断面寸法がほぼ一定であると推定できるため、凹溝を基点として変形した場合、隣り合う小吸収部の成す角（折れ角）は、全ての領域で凹溝の両側壁が当接する一定の範囲までであり、場所によって変化する身体の丸みの大きさに追随して変形しにくい構造であった。つまり、身体の丸みが緩やかな部分では、凹溝の両側壁間に隙間が生じ、その部分が窪み部となって、肌面との間に隙間が生じ、この隙間を通じて体液が流れやすくなるとともに、身体の丸みが大きな部分では、凹溝の両側壁が当接してそれ以上折れ曲がりにくくなるため、隣り合う小吸収部同士の折れ角が不足して小吸収部の表面と肌面との間に隙間が生じ、この隙間を通じて体液が流れやすくなる。これに対して、本発明では、前記表面側凹溝の溝幅を場所によって変化させることにより、隣り合う区画吸収部の折れ角が、長手方向の前側より後側の方が大きく、かつ幅方向中央より外方側の方が大きくなるようにしている。これによって、長手方向の後側及び幅方向の外方側の方が丸みがきつくなる臀部の形状に沿って吸収体が変形しやすくなり、臀部とのフィット性が向上できる。
【００１７】
請求項４に係る本発明として、前記長手方向凹溝及び幅方向凹溝のうち、一方側の凹溝は、前記吸収体の肌側面から圧搾したエンボス部からなり、他方側の凹溝は、前記吸収体の肌側の積繊量を低減した凹部からなる請求項１〜３いずれかに記載の吸収性物品が提供される。
【００１８】
上記請求項４記載の発明では、装着時に吸収体が身体の形状に沿って変形した際、長手方向凹溝及び幅方向凹溝のうち、一方側の凹溝がエンボス部によって形成されているため、吸収体の強度が確保でき、吸収体の割れが防止できるようになる。
【００１９】
請求項５に係る本発明として、前記長手方向凹溝は、吸収体の長手方向中心線の左右にそれぞれ設けられ、長手方向中心線上に設けられておらず、前記臀部溝対応凹溝は、前記吸収体の長手方向中間部の幅方向中央部から前記吸収体の後端にかけて、長手方向に沿って形成された、非肌側面から肌側へ向けて圧搾したエンボス部からなる請求項１〜４いずれかに記載の吸収性物品が提供される。
【００２０】
上記請求項５記載の発明では、前記臀部溝対応凹溝を、所定の位置に、エンボス部によって形成しているため、吸収体の後方部が臀部溝に沿って変形しやすくなるとともに、臀部溝に入り込んだ吸収体が臀部の動きなどによって割れるのが防止できるようになる。
【発明の効果】
【００２１】
以上詳説のとおり本発明によれば、吸収性物品の後方部が身体の形状に沿って変形しやすくなり、フィット性が向上できるようになる。
【図面の簡単な説明】
【００２２】
【図１】本発明に係る生理用ナプキン１の一部破断展開図である。
【図２】図１のII−II線矢視図である。
【図３】図１のIII−III線矢視図である。
【図４】吸収体４の肌側面の平面図である。
【図５】表面側凹溝１０を基点とした吸収体４の変形状態を示す断面図である。
【図６】変形例に係る表面側凹溝１０を基点とした吸収体４の変形状態を示す断面図である。
【図７】(A)は長手方向前側又は幅方向中央側の表面側凹溝１０、(B)は長手方向後側又は幅方向外方側の表面側凹溝１０を示す断面図である。
【図８】表面側凹溝１０の底部にエンボス溝１５を形成した場合の吸収体４の断面図である。
【発明を実施するための形態】
【００２３】
以下、本発明の実施の形態について図面を参照しながら詳述する。
【００２４】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合されることにより、吸収体が介在しないフラップ部が形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。また、図示しないが、前記透液性表面シート３の非肌側に隣接して、前記透液性表面シート３とほぼ同形状の親水性の不織布などからなるセカンドシートを配設してもよい。
【００２５】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２６】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００２７】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２８】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００２９】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３０】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により吸収体４の両側部に吸収体４が介在しないフラップ部が形成されている。このフラップ部は、ほぼ体液排出部Ｈに相当する吸収体側部位置に左右一対のウイング状フラップＷ、Ｗを形成するとともに、これより臀部側（後部側）位置にヒップホールド用フラップＷＢ、ＷＢを形成してもよい。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを基端部の折返し線ＲＬ位置にて反対側に折り返し、ショーツのクロッチ部分に巻き付けて止着するとともに、前記ヒップホールド用フラップＷＢをショーツの内面に止着するようになっている。
【００３１】
一方、前記サイド不織布７の内方側部分はほぼ二重に折り返されるとともに、この二重シート内部に、その高さ方向中間部に両端または長手方向の適宜の位置が固定された１又は複数本の、図示例では３本の糸状弾性伸縮部材９、９…が両端または長手方向の適宜の位置が固定された状態で配設されている。この二重シート部分は前後端部では図３に示されるように、外側に１回折り返して積層された状態で吸収体４側に接着されることによって、図２に示されるように、外側に傾斜しながら表面側に起立する直線状の立体ギャザーＢＳ、ＢＳが左右対で形成されている。
【００３２】
〔凹溝〕
以下、前記吸収体４に形成される凹溝について説明する。図４に示されるように、前記吸収体４の後方部の肌側面には、非肌側に窪む表面側凹溝１０が所定のパターンで形成されるとともに、前記表面側凹溝１０によって区画された複数の区画吸収部１１、１１…が形成され、かつ前記吸収体４の後方部の非肌側面であって、着用者の臀部溝に対応する位置に、臀部溝に沿って肌側に窪む臀部溝対応凹溝１２が形成されている。
【００３３】
前記表面側凹溝１０、区画吸収部１１及び臀部溝対応凹溝１２が形成される吸収体４の後方部とは、図１に示されるように、前記ウイング状フラップＷより長手方向後側の領域、すなわち着用者の体液排出部Ｈに対応する領域より長手方向後側の領域のことである。より好ましくは、ヒップホールド用フラップＷＢが形成された領域であって、後側にいくに従って徐々に幅方向外側に突出するヒップホールド用フラップＷＢが所定の幅以上になった部位より長手方向の後側、具体的には、ウイング状フラップＷの後端部における吸収体４の側縁から生理用ナプキン１の側縁までの長さが最も小さくなる部分におけるフラップ幅Ａと、前記表面側凹溝１０及び臀部溝対応凹溝１２の前端におけるフラップ幅Ｂとの比Ｂ／Ａが、２．０〜３．０程度となる位置より長手方向の後側の領域のことである。
【００３４】
前記表面側凹溝１０、区画吸収部１１及び臀部溝対応凹溝１２は、生理用ナプキン１の後方部のみに形成され、これより前側の領域には形成されていない。前記表面側凹溝１０、区画吸収部１１及び臀部溝対応凹溝１２は、吸収体を臀部の形状に沿って変形しやすくするためのものであり、前方部では吸収体の変形状態が異なるため、むしろ設けないのが望ましい。
【００３５】
前記表面側凹溝１０が形成される吸収体４の肌側面とは、吸収体４の肌当接面のことであり、前記臀部溝対応凹溝１２が形成される非肌側面とは、吸収体４の非肌当接面（下着側面）のことである。
【００３６】
本生理用ナプキン１においては、前記吸収体４の後方部の肌側面に、所定のパターンで形成された非肌側に窪む表面側凹溝１０と、前記表面側凹溝１０によって区画された複数の区画吸収部１１とが形成されているため、図５及び図６に示されるように、非肌側に窪む前記表面側凹溝１０を基点として、前記表面側凹溝１０の両側壁が閉じるように隣り合う区画吸収部１１、１１の間が内側に折れ曲がることにより、吸収体の後方部が全体として外側に膨出して柔軟に変形しやすくなる。これによって、吸収体４の後方部が臀部の丸みに沿って柔軟に変形し、臀部とのフィット性が向上できる。
【００３７】
また、前記吸収体４の後方部の非肌側面には、臀部溝に対応する位置に、臀部溝対応凹溝１２が形成されているため、前記臀部溝対応凹溝１２を可撓軸として、吸収体４が臀部溝に沿って肌側に向けた凸状に変形しやすくなり、この凸状に変形した部分が臀部溝に入り込むことによって臀部溝とのフィット性が向上できる。
【００３８】
前記表面側凹溝１０は、前記吸収体４の後方部の肌側面に形成された、非肌側に窪む凹溝である。前記表面側凹溝１０は、吸収体４のみを非肌側に窪ませて形成してもよいし、被包シート５及び吸収体４を一体的に非肌側に窪ませて形成してもよいし、透液性表面シート３から吸収体４にかけて一体的に非肌側に窪ませて形成してもよい。何れにしても、吸収体４がこの表面側凹溝１０を基点として折れ曲がりやすくなっていればよい。
【００３９】
前記表面側凹溝１０は、肌側面が周辺の部分より非肌側に窪んだ厚みが薄く形成された部分であり、吸収体４の曲げ剛性が弱くなった部分である。前記吸収体４は、前記表面側凹溝１０において分割されることなく、前記表面側凹溝１０の底部には吸収体が存在している。
【００４０】
前記表面側凹溝１０は、図４に示されるように、生理用ナプキン１の略長手方向に沿うとともに幅方向に間隔をあけて配置された複数の長手方向凹溝１３、１３…と、生理用ナプキン１の略幅方向に沿うとともに長手方向に間隔をあけて配置された複数の幅方向凹溝１４、１４…とから構成されている。
【００４１】
前記長手方向凹溝１３が長手方向の中間位置から後側に向けて吸収体４の後側端縁又は側方端縁の近傍位置まで形成され、隣り合う長手方向凹溝１３、１３の間が長手方向に所定の間隔で幅方向凹溝１４によって区画されている。
【００４２】
前記長手方向凹溝１３は直線で構成され、隣り合う長手方向凹溝１３、１３間を結ぶ幅方向凹溝１４は長手方向凹溝１３とほぼ直交する直線で構成されている。前記幅方向凹溝１４は、１組の長手方向凹溝１３、１３間に配置された幅方向凹溝１４の端縁から連続して、これと隣接する次の長手方向凹溝１３に向けて延びている。このため、前記幅方向凹溝１４は、全体として、吸収体４の幅方向に連続する線状に形成されている。
【００４３】
前記長手方向凹溝１３は、生理用ナプキン１の前側から後側に向けて幅方向の外方側に傾斜する放射状に形成されている。すなわち、隣り合う長手方向凹溝１３、１３の離間距離が、生理用ナプキン１の前側より後側の方が相対的に大きく形成されている。前記放射状とは、長手方向中心線ＣＬ上の１点又は互いに近接する複数の点を中心として、長手方向後側の幅方向外方側に向けて、長手方向中心線ＣＬとの成す角を変化させた複数の直線で構成したものである。
【００４４】
本生理用ナプキン１においては、前記長手方向凹溝１３を生理用ナプキン１の前側から後側に向けて幅方向の外方側に傾斜する放射状に形成することにより、吸収体４の後方部が臀部の丸みに沿ってより柔軟に変形できるようになっている。すなわち、長手方向凹溝１３を前述の放射状に形成することにより、隣り合う長手方向凹溝１３、１３の離間距離が、股下側寄り位置より背側寄り位置の方が広くなるため、股下側において臀部の細かな丸みの変化に対応できるとともに、背側において臀部の大きな丸みに対応できるようになる。したがって、吸収体４の後方部が確実に臀部の形状に沿って柔軟に変形できるようになる。
【００４５】
前記表面側凹溝１０、区画吸収部１１及び臀部溝対応凹溝１２が形成される吸収体４の厚みは、３〜２０ｍｍ、好ましくは５〜１５ｍｍとするのがよい。
【００４６】
隣り合う長手方向凹溝１３、１３の離間距離（区画吸収部１１の幅方向長さ）は、５〜３０ｍｍ、好ましくは１０〜２０ｍｍとするのがよい。隣り合う長手方向凹溝１３、１３の離間距離は、図４に示されるように、前側端部の離間距離Ｃと後側端部の離間距離Ｄとの比Ｄ／Ｃが、１．３〜４．０倍、好ましくは１．５〜２．５倍とするのがよい。この前側端部と後側端部の離間距離の比Ｄ／Ｃは、長手方向凹溝１３が吸収体４の後側端縁の近傍まで形成される場合の比であり、図示例のように、最も幅方向外側の長手方向凹溝１３のように吸収体４の後側端縁まで延びず吸収体４の側方端縁の近傍で途切れている場合、これより内側の吸収体４の後側端縁の近傍まで形成した長手方向凹溝１３と同様に、吸収体４の後側端縁の近傍まで延長した場合の前側端部の離間距離Ｃと後側端部の離間距離Ｄをとればよい。
【００４７】
前記幅方向凹溝１４は、隣り合う長手方向凹溝１３、１３の間において、これらの中央部を通る仮想線（図示せず）にほぼ直交する直線で形成するのが好ましい。
【００４８】
前記長手方向凹溝１３が放射状に形成され、前記幅方向凹溝１４が隣り合う長手方向凹溝１３、１３の中央部を通る仮想線にほぼ直交して形成されることにより、前記幅方向凹溝１４は、吸収体４の幅方向に対して、前記長手方向凹溝１３において屈折する折れ線状に形成されるようになる。
【００４９】
長手方向に隣り合う幅方向凹溝１４の離間距離Ｅ（区画吸収部１１の長手方向長さ）は、全体に亘ってほぼ均等に形成してもよいし、臀部の丸みに適合するように場所によって異なる寸法としてもよい。異なる寸法とする場合、長手方向前側の寸法を相対的に小さくし、長手方向後側の寸法を相対的に大きくするのが好ましい。前記離間距離Ｅとしては、１０〜５０ｍｍ、好ましくは１５〜３０ｍｍとするのがよい。
【００５０】
前記表面側凹溝１０は、吸収体４の後側端縁及び側方端縁まで達しない吸収体４の中間部に形成するのが好ましい。つまり、表面側凹溝１０の端縁と吸収体４の端縁との間に吸収体の肌側面が非肌側に窪んでいない余裕部を持たせるのが良い。これにより、装着時に吸収体４が変形した際の吸収体４の割れが防止できるようになる。
【００５１】
前記長手方向凹溝１３は、図４に示されるように、吸収体４の長手方向中心線ＣＬに対して左右対称に配置されている。前記長手方向凹溝１３は、吸収体４の長手方向中心線ＣＬの左右にそれぞれ設けられ、長手方向中心線ＣＬ上には設けないのが好ましい。長手方向中心線ＣＬ上には、非肌側面に肌側に窪む臀部溝対応凹溝１２が設けられるため、肌側面から非肌側に窪む凹溝を設けるのは好ましくない。
【００５２】
前記表面側凹溝１０の断面形状は、三角形状（図５）、台形状（図６）、Ｕ字状など、特に限定されないが、図５に示されるように、底部で両側壁が交差又は近接する略三角形状に形成するのが好ましい。これにより、装着時に表面側凹溝１０を基点として吸収体４が変形したとき、図５(B)に示されるように、前記表面側凹溝１０が閉じるように両側壁がほぼ隙間なく当接するため、隙間を通じた体液の流れが生じにくくなる。一方、図６に示されるように、表面側凹溝１０の断面形状を台形状とした場合、装着時に表面側凹溝１０を基点として吸収体４が変形したとき、同図６(B)に示されるように、両側壁の溝頂部同士が当接するが、溝底部が離間するように変形する。
【００５３】
前記表面側凹溝１０の溝幅は、全体に亘ってほぼ均等に形成してもよいが、図４及び図７に示されるように、生理用ナプキン１の長手方向の前側より後側の方が漸次大きくなるように形成するとともに、生理用ナプキン１の幅方向の中央より外方側の方が漸次大きくなるように形成するのが好ましい。これにより、吸収体４がより一層臀部の丸みに沿って変形しやすくなる。すなわち、表面側凹溝１０の溝幅が大きな部分では、隣り合う区画吸収部１１、１１の折れ角が大きくなり、表面側凹溝１０の溝幅が小さな部分では、隣り合う区画吸収部１１、１１の折れ角が小さくなる。従って、長手方向の後側及び幅方向の外方側の方が丸みがきつくなる臀部の形状に沿って、吸収体４が変形しやすくなる。図７(A)は、表面側凹溝１０の溝幅を相対的に小さく形成したものであり、図７(B)は、表面側凹溝１０の溝幅を相対的に大きく形成したものである。ここで、前記溝幅とは、溝頂部における両側壁の離間距離をいう。
【００５４】
前記表面側凹溝１０の断面形状を略三角形状に形成した場合、図７に示されるように、表面側凹溝１０の前側であって幅方向中央側において、溝幅を相対的に小さく形成したものでは、両側壁の成す角度αａが相対的に小さく、表面側凹溝１０の後側であって幅方向外方側において、溝幅を相対的に大きく形成したものでは、両側壁の成す角度αｂが相対的に大きくなる。前記αａとしては、１０〜４５°、好ましくは２０〜３０°とするのがよく、前記αｂとしては、３０〜９０°、好ましくは４０〜５０°とするのがよい。
【００５５】
前記表面側凹溝１０の溝深さは、吸収体４の厚みに対して、２０〜５０％とするのが好ましい。
【００５６】
前記表面側凹溝１０には、図８に示されるように、溝底部に沿って肌側面から非肌側へ向けて圧搾したエンボス溝１５を設けるのが好ましい。前記エンボス溝１５を設けることにより、表面側凹溝１０の底部が圧密化され、繊維の毛管作用によって、吸収体４に吸収された体液が表面側凹溝１０に沿って拡散しやすくなるとともに、吸収された体液が吸収体４の広範囲に拡散することによる体液の漏れが防止できるようになる。
【００５７】
前記エンボス溝１５の溝幅は、表面側凹溝１０の溝幅（溝頂部における両側壁の離間距離）より小さくするのが好ましい。前記エンボス溝１５は、表面側凹溝１０の全体に設けてもよいし、一部に設けてもよい。一部に設ける場合は、吸収体４の長手方向への体液の拡散を促進するため、長手方向凹溝１３のみに設け、幅方向凹溝１４には設けないようにしたり、吸収体４の中間部での体液の拡散を促進し、端縁部での拡散を抑制するため、吸収体４の幅方向中央側及び長手方向中央側の表面側凹溝１０のみに設け、吸収体４の端縁周辺の表面側凹溝１０には設けないようにしたりすることができる。
【００５８】
前記表面側凹溝１０を形成するには、吸収体に凹溝を形成する公知の形態を制限なく用いることが可能である。例えば、吸収体４の肌側の積繊量を低減する形態、吸収体４の肌側面から圧搾する形態などを適用できる。
【００５９】
好ましい実施形態として、前記長手方向凹溝１３は、吸収体４の肌側面から圧搾したエンボス部で構成し、前記幅方向凹溝１４は、吸収体４の肌側の積繊量を低減した凹部で構成することができる。これによって、装着時に吸収体４が身体の形状に沿って変形した際、長手方向凹溝１３がエンボス部によって形成されているため、吸収体４の強度が確保でき、吸収体４の割れが防止できるようになる。上記の「吸収体４の肌側面から圧搾したエンボス部」は、吸収体４（又は被包シート５）の肌側面からの圧搾により吸収体４のみ（又は被包シート５及び吸収体４のみ）を窪ませたエンボス部でもよいし、透液性表面シート３の肌側面からの圧搾により透液性表面シート３から吸収体４にかけて一体的に窪ませたエンボス部でもよい。
【００６０】
前記区画吸収部１１は、前記表面側凹溝１０によって周囲が区画された四角形状の吸収体部分であり、前記表面側凹溝１０より相対的に厚い厚みで形成されている。具体的には、両側がそれぞれ長手方向凹溝１３によって区画され、前後がそれぞれ幅方向凹溝１４によって区画されている。前記区画吸収部１１は、吸収体４の長手方向及び幅方向に沿ってそれぞれ複数形成されている。前記区画吸収部１１の大きさは均一ではなく、前述の通り長手方向凹溝１３が放射状に形成されることにより、吸収体４の後側にいくに従って相対的に大きな面積で形成されている。
【００６１】
長手方向中心線ＣＬを横断する区画吸収部１１は、他の領域に形成される区画吸収部１１と比べ相対的に大きな面積で形成するのが好ましい。長手方向中心線ＣＬを横断する区画吸収部１１は、吸収体４の非肌側面に設けられた臀部溝対応凹溝１２によって幅方向に折れ曲がり、装着時に臀部溝に入り込む部分であるため、あまり小さな面積で形成されていると、折れ曲がりにくいとともに、臀部溝に入り込んだ吸収体４の割れが生じやすくなる。長手方向中心線ＣＬを横断する区画吸収部１１の面積は、他の領域の面積の１．５倍〜３倍とするのがよく、２倍程度が最も好ましい。
【００６２】
隣り合う区画吸収部１１、１１は、図５(A)、図６(A)に示されるように、装着前の生理用ナプキン１の展開状態では、表面側凹溝１０を介して並列的に配置され、図５(B)、図６(B)に示されるように、装着時に前記表面側凹溝１０を基点に変形した状態では、所定の折れ角を有しながらほぼ隣接して配置されるようになる。前記区画吸収部１１は、装着時に折れ曲がりなどが生じず、区画吸収部１１の肌側面が肌面に対向するようになる。
【００６３】
前記臀部溝対応凹溝１２は、吸収体４の後方部の非肌側面に形成された、肌側に窪む凹溝である。前記臀部溝対応凹溝１２は、吸収体４のみを非肌側に窪ませて形成してもよいし、被包シート５及び吸収体４を一体的に非肌側に窪ませて形成してもよい。
【００６４】
前記臀部溝対応凹溝１２は、吸収体４の後方部の非肌側面であって、臀部溝に対応する位置に、臀部溝に沿って１条の直線状に形成されている。つまり、吸収体４の長手方向中間部の幅方向中央部から吸収体４の後端にかけて、長手方向に沿って形成するのが好ましい。これにより、前記臀部溝対応凹溝１２を可撓軸として、吸収体４の幅方向中央部が長手方向に沿って肌側に突出しやすくなり、凸状に変形した部分が臀部溝に入り込んで身体とのフィット性が向上できるようになる。
【００６５】
前記臀部溝対応凹溝１２の前側端縁は、前記表面側凹溝１０の前側端縁とほぼ一致するように配置するのが好ましい。これによって、表面側凹溝１０による臀部の丸みに沿った変形と、臀部溝対応凹溝１２による臀部溝に沿った変形とが、ほぼ一致した位置から生じるようになる。一方、前記臀部溝対応凹溝１２の後側端縁は、吸収体４の後側端縁まで形成するのが好ましい。つまり、表面側凹溝１０の後側端縁より後側に突出して形成されている。これによって、吸収体４の後方部が後側端縁にかけて、臀部溝に沿って変形しやすくなり、臀部溝に対するフィット性が確実に向上できる。
【００６６】
前記臀部溝対応凹溝１２は、吸収体４の非肌側面から肌側へ向けて圧搾したエンボス部によって構成するのが好ましい。これによって、臀部溝に入り込んだ部分が臀部溝の動きによって割れるのが防止できるようになる。
【００６７】
前記臀部溝対応凹溝１２の断面形状も上述の表面側凹溝１０と同様に、三角形状（図５）、台形状（図６）、Ｕ字状など、特に限定されない。
【００６８】
前記臀部溝対応凹溝１２の溝幅は、前記表面側凹溝１０より相対的に大きく形成されている。具体的には、２〜２０ｍｍとするのがよい。前記臀部溝対応凹溝１２は、全長に亘ってほぼ均等な溝幅で形成するのが好ましい。
【００６９】
前記臀部溝対応凹溝１２の溝深さは、吸収体４の厚みに対して、２０〜５０％とするのが好ましい。
【００７０】
〔他の形態例〕
(1)図１に示される生理用ナプキン１では、前記表面側凹溝１０より前側部分に凹溝が形成されていないが、吸収体４の肌側面に非肌側に窪む凹溝を適宜のパターンで形成してもよい。
【００７１】
(2)前記吸収体４の体液排出部Ｈに対応する部位を含む領域に、肌側に増厚された吸収体の中高部（図示せず）を設けてもよい。前記中高部は、吸収体４の肌側面に隣接するとともに、吸収体４の幅方向中央部に配置され、吸収体４より小さな幅寸法及び長手寸法で形成されている。
【符号の説明】
【００７２】
１…生理用ナプキン、２…不透液性裏面シート、３…透液性表面シート、４…吸収体、５…被包シート、７…サイド不織布、１０…表面側凹溝、１１…区画吸収部、１２…臀部溝対応凹溝、１３…長手方向凹溝、１４…幅方向凹溝、１５…エンボス溝